(57)【特許請求の範囲】
【請求項１】
外部電源に電気的に接続される入力端子部と、光源に電気的に接続される出力端子部と、信号源に電気的に接続される信号端子部と、前記外部電源から前記入力端子部に入力される入力電力を電力変換して前記出力端子部から前記光源に出力する電力変換部と、前記信号源から前記信号端子部に入力される信号を受け取って前記電力変換部を制御する制御部と、前記入力端子部、前記出力端子部、前記信号端子部、前記電力変換部並びに前記制御部を収容するケースとを備え、
前記入力端子部、前記出力端子部及び前記信号端子部のうちの少なくともいずれか１つは、電気絶縁性を有したコネクタハウジングを備えるコネクタで構成されており、
前記ケースは、箱形に形成されて前記コネクタハウジングの一部を露出させており、
１つ又は複数の前記コネクタハウジングのうちの少なくとも１つのコネクタハウジングに被さるカバーを備え、
前記カバーは、前記ケースに固定されることを特徴とする点灯装置。
【請求項２】
前記カバーは、前記出力端子部及び前記信号端子部のそれぞれの前記コネクタハウジングのうちの少なくとも１つのコネクタハウジングに被さることを特徴とする請求項１記載の点灯装置。
【請求項３】
前記カバーは、前記カバーが被さる前記コネクタハウジングと挿抜可能に電気的かつ機械的に接続される相手側コネクタに対して、前記相手側コネクタが前記コネクタハウジングに挿抜される際の進路を妨げないように構成されていることを特徴とする請求項１又は２記載の点灯装置。
【請求項４】
外部電源に電気的に接続される入力端子部と、光源に電気的に接続される出力端子部と、信号源に電気的に接続される信号端子部と、前記外部電源から前記入力端子部に入力される入力電力を電力変換して前記出力端子部から前記光源に出力する電力変換部と、前記信号源から前記信号端子部に入力される信号を受け取って前記電力変換部を制御する制御部と、前記入力端子部、前記出力端子部、前記信号端子部、前記電力変換部並びに前記制御部を収容するケースとを備え、
前記入力端子部、前記出力端子部及び前記信号端子部のうちの少なくともいずれか１つは、電気絶縁性を有したコネクタハウジングを備えるコネクタで構成されており、
前記ケースは、箱形に形成されて前記コネクタハウジングの一部を露出させており、
１つ又は複数の前記コネクタハウジングのうちの少なくとも１つのコネクタハウジングに被さるカバーを備え、
前記カバーは、前記出力端子部及び前記信号端子部のそれぞれの前記コネクタハウジングのうちの少なくとも１つのコネクタハウジングに被さり、
前記カバーは、更に、前記カバーが被さる前記コネクタハウジングと挿抜可能に電気的かつ機械的に接続される相手側コネクタに対して、前記相手側コネクタが前記コネクタハウジングに挿抜される際の進路を妨げないように構成されていることを特徴とする点灯装置。
【請求項５】
請求項１〜４のいずれか１項に記載の点灯装置と、前記点灯装置から供給される電力で点灯する光源と、少なくとも前記光源を支持する本体とを備えていることを特徴とする照明装置。
【発明の詳細な説明】
【技術分野】
【０００１】
本発明は、点灯装置及び照明装置に関し、より詳細には、外部との電気的な接続にコネクタを使用する点灯装置、及び当該点灯装置を備えた照明装置に関する。
【背景技術】
【０００２】
従来の点灯装置として、特許文献１に記載されている電源ユニットを例示する。特許文献１記載の電源ユニットは、第１プリント配線板に電子部品が実装されて構成される電源回路と、電源回路を収納する第１ケースとを有する。第１プリント配線板の長手方向の一端側に電源入力部のコネクタが実装され、第１プリント配線板の長手方向の他端側に電源出力部のコネクタ及び信号入力部のコネクタがそれぞれ実装されている。第１ケースは、第１プリント配線板の部品面（電源入力部、電源出力部、信号入力部の各コネクタが実装された面）を覆うように構成された金属製の箱体からなる。
【先行技術文献】
【特許文献】
【０００３】
【特許文献１】特開２０１６−０５１６５１号公報
【発明の概要】
【発明が解決しようとする課題】
【０００４】
ところで、電源入力部、電源出力部及び信号入力部を構成するコネクタは、充電部（入力電源電圧、出力電圧、信号電圧が印加されるコンタクトなど）に人の指が容易に触れない絶縁構造を有していなければならない。しかしながら、汎用品として製造・販売されているコネクタが点灯装置の電源入力部、電源出力部及び信号入力部に用いられた場合、点灯装置に必要とされる電気的な絶縁性能を確保することが困難になる可能性があった。
【０００５】
本発明の目的は、電気的な絶縁性能を容易に確保することができる点灯装置及び照明装置を提供することである。
【課題を解決するための手段】
【０００６】
本発明の一態様に係る点灯装置は、外部電源に電気的に接続される入力端子部と、光源に電気的に接続される出力端子部と、信号源に電気的に接続される信号端子部とを備えている。前記点灯装置は、前記外部電源から前記入力端子部に入力される入力電力を電力変換して前記出力端子部から前記光源に出力する電力変換部と、前記信号源から前記信号端子部に入力される信号を受け取って前記電力変換部を制御する制御部とを備えている。前記点灯装置は、前記入力端子部、前記出力端子部、前記信号端子部、前記電力変換部並びに前記制御部を収容するケースを備えている。前記入力端子部、前記出力端子部及び前記信号端子部のうちの少なくともいずれか１つは、電気絶縁性を有したコネクタハウジングを備えるコネクタで構成されている。前記ケースは、箱形に形成されて前記コネクタハウジングの一部を露出させている。前記点灯装置は、１つ又は複数の前記コネクタハウジングのうちの少なくとも１つのコネクタハウジングに被さるカバーを備えている。前記カバーは、前記ケースに固定される。
【０００７】
本発明の一態様に係る照明装置は、前記点灯装置と、前記点灯装置から供給される電力で点灯する光源と、少なくとも前記光源を支持する本体とを備えている。
【発明の効果】
【０００８】
本発明の点灯装置及び照明装置は、電気的な絶縁性能を容易に確保することができるという効果がある。
【図面の簡単な説明】
【０００９】
【図１】図１は、本発明の一実施形態に係る点灯装置及び照明装置の概略構成図である。
【図２】図２は、同上の点灯装置及び照明装置の回路ブロック図である。
【図３】図３は、同上の点灯装置の分解斜視図である。
【図４】図４Ａは、同上の点灯装置の正面図である。図４Ｂは、同上の点灯装置の左側面図である。図４Ｃは、同上の点灯装置の背面図である。
【図５】図５は、同上の点灯装置のカバーを省略した斜視図である。
【図６】図６は、同上の点灯装置の斜視図である。
【図７】図７Ａは、同上の点灯装置におけるカバーの正面図である。図７Ｂは、同上のカバーの平面図である。図７Ｃは、同上のカバーの左側面図である。図７Ｄは、同上のカバーの右側面図である。図７Ｅは、同上のカバーの下面図である。図７Ｆは、同上のカバーの背面図である。
【図８】図８は、同上の点灯装置のカバーにテストフィンガーを差し込んだ状態を示す一部省略した断面図である。
【図９】図９Ａは、同上の点灯装置の信号端子部に第１プラグコネクタを差込接続した状態の一部省略した斜視図である。図９Ｂは、同上の点灯装置の信号端子部に第１プラグコネクタを差込接続した状態のカバーを含む一部を省略した斜視図である。
【発明を実施するための形態】
【００１０】
以下、本発明の一実施形態に係る点灯装置１及び照明装置３について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明装置３は、図１に示すように点灯装置１と、光源２０と、光源２０を支持する本体２３とを備えている。光源２０と本体２３は、反射板２４とともに照明器具（ダウンライト）２を構成している。光源２０は、チップ・オン・ボード（ＣＯＢ）型の発光ダイオード（ＬＥＤ）モジュールである。ただし、光源２０は、パッケージ型のＬＥＤモジュールや、有機エレクトロルミネセンス素子などであっても構わない。本体２３は、アルミダイカストなどの熱の良導体によって筒状に形成されている。光源２０は、本体２３の下面に取り付けられている。反射板２４は、上面及び下面が開放された円錐台形状に形成されている。反射板２４は、上面の開口内に光源２０を配置するようにして本体２３の下面に取り付けられている。つまり、反射板２４は、光源２０から放射される光を下方に反射するように構成されている。
【００１２】
反射板２４には、センサ部２１と設定部２２が取り付けられている。センサ部２１は、人体から放射される熱線を焦電素子で検知することにより、検知領域内の人の存在を検知するパッシブ型の人感センサを有している。センサ部２１は、後述するように点灯装置１から供給される電源で動作し、検知領域内に人の存在を検知したときに検知信号Ｓ１を点灯装置１へ出力する。設定部２２は、例えば、可変抵抗器を有し、点灯装置１から供給される直流電圧を可変抵抗器で分圧した電圧を設定信号として点灯装置１へ出力するように構成されればよい。つまり、本実施形態の点灯装置１及び照明装置３においては、センサ部２１及び設定部２２が信号源に相当している。ただし、信号源はセンサ部２１と設定部２２に限定されない。なお、センサ部２１及び設定部２２は、反射板２４に取り付けられてもよいし、本体２３に取り付けられてもよい。
【００１３】
点灯装置１は、プリント回路からなる点灯回路を金属製のケース５に収容して構成されている。点灯回路は、図２に示すように、入力端子部６、出力端子部７、信号端子部８、電力変換部１１、制御部１２を備えている。点灯回路はさらに、電源部１３を備えることが好ましい。
【００１４】
入力端子部６は、外部電源である交流電源４に電気的に接続される。出力端子部７は、光源２０に電気的に接続される。信号端子部８は、信号源であるセンサ部２１及び設定部２２に電気的に接続される。電力変換部１１は、交流電源４から入力端子部６に入力される入力電力（交流電力）を直流電力に電力変換して出力端子部７から光源２０に出力する。電力変換部１１は、昇圧及び降圧が可能な非絶縁型のＤＣ／ＤＣコンバータ回路、例えば、力率改善回路の機能と電力変換の機能とを備えたＳＥＰＩＣ（Single Ended Primary Inductor Converter）回路で構成されることが好ましい。ただし、電力変換部１１は、昇圧チョッパ回路からなる力率改善回路と、力率改善回路の出力電圧を降圧する非絶縁型の降圧チョッパ回路とで構成されてもよい。制御部１２は、センサ部２１から受け取る検知信号Ｓ１並びに設定部２２から受け取る設定信号Ｓ２に応じて電力変換部１１を制御する。制御部１２は、検知信号Ｓ１を受け取っていないとき、及び検知信号Ｓ１を受け取らなくなってから所定の待機時間が経過したときに電力変換部１１を制御して光源２０を消灯させるか、あるいは低い調光レベル（例えば、定格点灯時の２０％の調光レベル）で点灯させる。また、制御部１２は、検知信号Ｓ１を受け取ったとき、及び待機時間中は電力変換部１１を制御して光源２０を定格点灯させる。さらに、制御部１２は、設定部２２から受け取る設定信号Ｓ２に応じて待機時間を調整する。またさらに、制御部１２は、設定信号Ｓ２に応じて、検知信号Ｓ１を受け取っていないとき、及び待機時間が経過したときに光源２０を消灯するか、低い調光レベルで点灯させるかを切り替える。電源部１３は、交流電源４から供給される交流電圧から制御電源電圧Ｖcc（例えば、１２［Ｖ］〜３．３［Ｖ］の直流電圧）を生成し、電力変換部１１や制御部１２に供給する。また、電源部１３が生成する制御電源電圧Ｖccは、信号端子部８を通してセンサ部２１及び設定部２２にも供給される。
【００１５】
次に、点灯装置１の構造を説明する。ただし、特に断りのない限り、以下の説明では図３において、点灯装置１の上下、左右、前後の各方向を規定する。
【００１６】
上述した点灯回路は、矩形板状の回路基板１４に種々の回路部品が実装されることで実現されている。図３に示すように、入力端子部６は、速結式（ねじなし端子式）の端子台で構成されている。ただし、入力端子部６は、コネクタ（レセプタクルコネクタ）で構成されてもよい。また、図３に示すように、回路基板１４の前端に出力端子部７が実装されている。出力端子部７は、レセプタクルコネクタであり、３つの第２コンタクト７０と、これら３つの第２コンタクト７０を支持する第２コネクタハウジング７１とを有している（図３及び図４Ａ参照）。出力端子部７は、第２コネクタハウジング７１の前面に、相手側コネクタ（第２プラグコネクタ１０Ｂ）が挿抜可能に差し込み接続される（図１参照）。第２プラグコネクタ１０Ｂは、電源線１００を介して照明器具２の光源２０と電気的に接続されている。
【００１７】
信号端子部８は、図３に示すように、汎用のレセプタクルコネクタ（例えば、日本圧着端子製造株式会社製の型番ＥＬＲ−０４Ｖなど）で構成されている。信号端子部８は、第１コネクタハウジング８０を有している。第１コネクタハウジング８０は、グランド用のピンコンタクト、制御電源用のピンコンタクト、検知信号Ｓ１用のピンコンタクト、設定信号Ｓ２用のピンコンタクトの４つのピンコンタクトを左右方向に一列に並べた状態で保持している。電源部１３は、制御電源用のピンコンタクトとグランド用のピンコンタクトを介してセンサ部２１及び設定部２２に制御電源電圧Ｖccを供給する。また、センサ部２１は、検知信号Ｓ１用のピンコンタクトとグランド用のピンコンタクトを介して制御部１２に検知信号Ｓ１を出力する。さらに、設定部２２は、設定信号Ｓ２用のピンコンタクトとグランド用のピンコンタクトを介して制御部１２に設定信号Ｓ２を出力する。
【００１８】
第１コネクタハウジング８０は、電気絶縁性を有する合成樹脂（例えば、ナイロン６）により、上下方向の厚みを前後方向及び左右方向の幅よりも十分に小さくした直方体形状に形成されている。第１コネクタハウジング８０の前面に、４つの差込孔８１が左右方向に並んで配置されている。これら４つの差込孔８１は、第１コネクタハウジング８０を前後方向に貫通するように形成されている。そして、これら４つの差込孔８１のそれぞれの後端部分に、各差込孔８１に対応するピンコンタクトが収められている。
【００１９】
第１コネクタハウジング８０の左右両側面のそれぞれに腕部８２が設けられている（図３参照）。これら一対の腕部８２は、第１コネクタハウジング８０の左右両側面における前端から後方に向かって突出し、かつ、後方に向かうに連れて第１コネクタハウジング８０から離れるように、第１コネクタハウジング８０と一体に形成されている。これら一対の腕部８２はそれぞれ、後端部分を第１コネクタハウジング８０の左右両側面に近付ける向きに撓むように構成されている。また、第１コネクタハウジング８０の上面における前端かつ左右方向の中央の位置に突部８３が設けられている。さらに、第１コネクタハウジング８０の上面及び下面の左右両端において、第１コネクタハウジング８０の前後方向のほぼ中央よりも後方の部分に、上下方向に突出する一対の突条部８４がそれぞれ第１コネクタハウジング８０と一体に形成されている。
【００２０】
ケース５は、下ケース５Ａと上ケース５Ｂとで構成されている（図３参照）。下ケース５Ａは、矩形板状の底板５０と、底板５０の短手方向（左右方向）の両端からそれぞれ上向きに立ち上がる一対の側板５１とを有している。下ケース５Ａはさらに、底板５０の前端から下向きに突出する第１脚片５２と、底板５０の後端から下向きに突出する第２脚片５３とを有している。第１脚片５２及び第２脚片５３はそれぞれ、左右方向から見てＬ字形状に曲げられている。なお、底板５０、一対の側板５１、第１脚片５２及び第２脚片５３は、亜鉛鋼板などの金属板によって一体に形成されることが好ましい。
【００２１】
底板５０の上面の後端部分に入力端子部６が取り付けられている。底板５０と一対の側板５１に囲まれた空間において、入力端子部６の前方に下絶縁シート１５と回路基板１４が収容される。下絶縁シート１５は、合成樹脂製のシート材によって角樋状に形成されている。下絶縁シート１５は、底板５０及び一対の側板５１と回路基板１４の間に配置され、回路基板１４と、底板５０及び一対の側板５１とを電気的に絶縁している。
【００２２】
上ケース５Ｂは、図３に示すように、天板５４と、左側板５５と、右側板５６と、前板５７とを有している。天板５４は、前後方向を長手方向とする矩形板状に形成されている。天板５４の前端には、一対のかん合孔５４０が設けられている。これら一対のかん合孔５４０は、矩形形状に形成されて天板５４の左右両端に配置されている。左側板５５は、矩形板状に形成され、天板５４の左端から下向きに突出している。左側板５５の後方の下部には、内向きに突出する突起５５０が設けられている。右側板５６は、矩形板状に形成され、天板５４の右端から下向きに突出している。右側板５６の前端からは、矩形の突片５６０が前方へ突出している。この突片５６０には、ねじ挿通孔５６１が貫通している。また、右側板５６の後方の下部にも、内向きに突出する突起が設けられている。前板５７は、前方から見てΠ（パイ）字形状に形成されている。前板５７の上部には、矩形の取付孔５７０が貫通している。前板５７における取付孔５７０の左右両側のそれぞれの縁には、前方へ突出する、矩形板状の突片５７３が突出している。また、前板５７の左側の下端には、矩形板状の固定片５７１が前方へ突出するように設けられている。この固定片５７１には、厚み方向（上下方向）に貫通するねじ挿通孔５７２が設けられている。
【００２３】
上ケース５Ｂの内部に上絶縁シート１６が収容される。上絶縁シート１６は、合成樹脂製のシート材により、矩形板状の底部１６０と、底部１６０の左右両端から下向きに突出する一対の側部１６１とを有する角樋状に形成されている。上絶縁シート１６は、左側板５５に設けられている一対の突部５５１と、右側板５６に設けられている一対の突部とに一対の側部１６１のそれぞれの先端を引っ掛けるようにして上ケース５Ｂに固定される。
【００２４】
信号端子部８は、図５に示すように、上ケース５Ｂの前板５７に取り付けられる。信号端子部８は、後方から前板５７の取付孔５７０に挿入されると、取付孔５７０の左右両側の縁に押されて一対の腕部８２が撓み、突条部８４の前端が前板５７の後面に当たる位置で止まる。このとき、一対の腕部８２のそれぞれの先端（後端）が、前板５７の一対の突片５７３の前端に引っ掛かる（図５参照）。その結果、第１コネクタハウジング８０は、一対の腕部８２と突条部８４との間に前板５７を挟むようにして上ケース５Ｂ（の前板５７）に取り付けられる。なお、信号端子部８の４つのピンコンタクトはそれぞれ、リード線などにより、回路基板１４に形成されている導体にはんだ付けされて制御部１２及び電源部１３と電気的に接続される。
【００２５】
上ケース５Ｂは、下ケース５Ａの上に被せられる。上ケース５Ｂの左側板５５の突起５５０が下ケース５Ａの左側の側板５１の後端に設けられている孔５１０にかん合し、上ケース５Ｂの右側板５６の突起が下ケース５Ａの右側の側板５１の後端に設けられている孔にかん合して下ケース５Ａと上ケース５Ｂが結合される。さらに、上ケース５Ｂの固定片５７１のねじ挿通孔５７２に挿通される固定ねじ５８が下ケース５Ａの底板５０の前端左端に設けられているねじ孔５００にねじ込まれることで下ケース５Ａと上ケース５Ｂが固定される（図３及び図５参照）。
【００２６】
ここで、入力端子部６、出力端子部７及び信号端子部８はそれぞれ、電気用品安全法の規定により、二重絶縁又は強化絶縁によって充電部（コンタクト）から電気的に絶縁されていなければならない。入力端子部６を構成する端子台と出力端子部７を構成するレセプタクルコネクタについては、二重絶縁又は強化絶縁によって充電部から電気的に絶縁されている。しかしながら、信号端子部８を構成するレセプタクルコネクタについては、二重絶縁及び強化絶縁のいずれによっても充電部（ピンコンタクト）から電気的に絶縁されているとは限らない。
【００２７】
そこで、本実施形態の点灯装置１は、信号端子部８の第１コネクタハウジング８０に被さるカバー９を備えている。つまり、カバー９が第１コネクタハウジング８０に被さることにより、カバー９と第１コネクタハウジング８０とで信号端子部８の二重絶縁が実現可能となる。
【００２８】
カバー９は、図６及び図７Ａ〜図７Ｆに示すように、カバー本体９０、垂れ部９１、退避部９２、鍔部９３、突壁部９４、ねじ止め部９５、第２引掛爪９６を有している。カバー本体９０、垂れ部９１、退避部９２、鍔部９３、突壁部９４、ねじ止め部９５及び第２引掛爪９６は、例えば、ガラス繊維が混合されて強化されたポリブチレンテレフタレート樹脂で一体成形されることが好ましい。
【００２９】
カバー本体９０は、第１筒部９００と第２筒部９０１とを有している。第１筒部９００は、上下方向の高さ寸法よりも左右方向の幅寸法が大きい、扁平な角筒状に形成されている。第２筒部９０１は、上下方向の高さ寸法が第１筒部９００の高さ寸法に等しく、左右方向の幅寸法が第１筒部９００の幅寸法よりも小さい、扁平な角筒状に形成されている。カバー本体９０は、第１筒部９００の前端に第２筒部９０１を結合し、第１筒部９００の内部空間と第２筒部９０１の内部空間を繋ぐように構成されている（図７Ａ〜図７Ｆ参照）。ここで、第１筒部９００の内部空間の左右方向の幅寸法は、信号端子部８の第１コネクタハウジング８０の左右方向の幅寸法（ただし、一対の腕部８２を含む）よりも僅かに大きいことが好ましい。さらに、第２筒部９０１の内部空間の左右方向の幅寸法は、第１コネクタハウジング８０の左右方向の幅寸法よりも小さく、かつ、信号端子部８と挿抜可能に差し込み接続される相手側コネクタ（第１プラグコネクタ１０Ａ）の幅寸法よりも僅かに大きい。なお、第１プラグコネクタ１０Ａは、図６に示すように、信号端子部８を構成している汎用のレセプタクルコネクタに対応した汎用のプラグコネクタ（例えば、日本圧着端子製造株式会社製の型番ＥＬＰ−０４Ｖなど）で構成されている。
【００３０】
垂れ部９１は、矩形板状に形成されてカバー本体９０（の第２筒部９０１）の前端から下向きに突出している。垂れ部９１は、カバー本体９０の前端部分を補強して第２筒部９０１（の内部空間）の変形を抑えるように構成されている。
【００３１】
退避部９２は、図６及び図７Ａ〜図７Ｅに示すように、カバー本体９０の上側の壁における左右方向の中央から上向きに突出している。退避部９２は、カバー本体９０の内部空間（第１筒部９００及び第２筒部９０１のそれぞれの内部空間）と繋がる凹所９２０を有している（図７Ａ参照）。また、カバー本体９０の上側の壁において、退避部９２の前端からカバー本体９０の前端までの範囲に溝９０２が設けられている（図６及び図７Ｂ参照）。この溝９０２は、第２筒部９０１の内部空間及び退避部９２の凹所９２０と繋がっている。
【００３２】
鍔部９３は、板状に形成され、カバー本体９０の後端の左端及び上端から突出している。突壁部９４は、矩形板状に形成され、鍔部９３の上端から後方へ突出している。また、突壁部９４の下面における左右両端に、鉤形の第１引掛爪９４０がそれぞれ下向きに突出している（図７Ｃ〜図７Ｆ参照）。ねじ止め部９５は、おおよそ角柱状に形成されて、カバー本体９０の第１筒部９００の右側面から突出している。ねじ止め部９５の右側面の下部には、円筒形のねじ穴９５０が設けられている（図７Ｄ参照）。第２引掛爪９６は、カバー本体９０の第１筒部９００の後端面における下部の中央から突出している（図７Ｃ〜図７Ｆ参照）。第２引掛爪９６は、左右方向から見て下向きの鉤形に形成されている。
【００３３】
カバー９は、一対の第１引掛爪９４０のそれぞれを天板５４の一対のかん合孔５４０のうちの対応するかん合孔５４０にかん合し、かつ、第２引掛爪９６を前板５７の取付孔５７０の下端縁に引っ掛けることでケース５に取り付けられる（図３、図５及び図６参照）。このとき、カバー本体９０の第１筒部９００内に、前板５７の取付孔５７０から前方へ突出している信号端子部８の一部（第１コネクタハウジング８０の突条部８４よりも前の部分）が収容される（図８参照）。さらに、カバー９は、上ケース５Ｂの突片５６０に設けられているねじ挿通孔５６１に挿通されるねじ５９（図３参照）が、ねじ止め部９５のねじ穴９５０にねじ込まれることによってケース５に固定される。
【００３４】
信号端子部８は、カバー９が被さることによってケース５の外に露出する部分（第１コネクタハウジング８０の突条部８４よりも前の部分）がカバー９で覆われる。そのため、人の指を模したテストフィンガー（試験指）１１０がカバー本体９０の前方の開口に挿入されても、信号端子部８に触れることができない（図８参照）。つまり、汎用のレセプタクルコネクタで信号端子部８が構成されていても、信号端子部８の第１コネクタハウジング８０による基礎絶縁に加えてカバー９による二重絶縁により、点灯装置１の電気的な絶縁性能を容易に確保することができる。したがって、信号端子部８を専用のコネクタで構成する必要がないから、専用のコネクタの設計に要する時間の短縮や専用のコネクタの製造に要する費用の削減を図ることができる。
【００３５】
また、第２筒部９０１の内部空間が第１筒部９００の内部空間と繋がり、かつ、第２筒部９０１の内部空間全体が第１プラグコネクタ１０Ａを挿通可能な大きさに形成されている。そのため、信号端子部８の相手側コネクタである第１プラグコネクタ１０Ａは、カバー９が被さった状態の信号端子部８に挿抜可能に差込接続される（図９Ａ参照）。つまり、信号端子部８に被さっているカバー９を取り外さずに信号端子部８に第１プラグコネクタ１０Ａが挿抜可能であるので、信号端子部８に対する第１プラグコネクタ１０Ａの挿抜作業の作業性の向上を図ることができる。
【００３６】
ここで、信号端子部８に第１プラグコネクタ１０Ａが挿抜される際、信号端子部８に被さっているカバー９に対して、上向きの力、下向きの力及び左右方向の力が加わる。上向きの力に対しては、第２引掛爪９６が前板５７の取付孔５７０の縁に引っ掛かることでカバー９を外れ難くしている。また、下向きの力に対しては、一対の第１引掛爪９４０のそれぞれが一対のかん合孔５４０にかん合することでカバー９を外れ難くしている。さらに、左右方向の力に対しては、ねじ止め部９５が上ケース５Ｂの突片５６０にねじ止めされていることでカバー９を外れ難くしている。
【００３７】
ところで、第１プラグコネクタ１０Ａは、ロック機構を有している。このロック機構は、第１プラグコネクタ１０Ａの上面に対して、上下方向に揺動可能に設けられているロック片１０１と、ロック片１０１の先端に設けられているロック爪１０２とで構成されている（図６及び図９Ｂ参照）。第１プラグコネクタ１０Ａが信号端子部８に差込接続されると、ロック機構のロック爪１０２が第１コネクタハウジング８０の突部８３に引っ掛かることで第１プラグコネクタ１０Ａが信号端子部８に抜け止め（ロック）される（図９Ｂ参照）。また、ロック機構は、ロック片１０１の後端部分が押されてロック片１０１が揺動することにより、ロック爪１０２と突部８３の引っ掛かりが外れてロックが解除される。そして、第１プラグコネクタ１０Ａは、ロック機構のロックが解除された状態で信号端子部８から引き抜くことができる。
【００３８】
ここで、カバー９が被さった状態の信号端子部８に第１プラグコネクタ１０Ａが差込接続された場合、第１プラグコネクタ１０Ａのロック機構が退避部９２の凹所９２０内に収容される（図９Ａ参照）。このため、第１プラグコネクタ１０Ａのロック機構は、カバー９に邪魔されることなく、信号端子部８の突部８３にロック爪１０２を引っ掛けてロック状態となる。さらに、信号端子部８と接続された状態において、ロック片１０１の後端部分が、カバー本体９０の溝９０２に挿入されている（図９Ａ参照）。つまり、カバー本体９０の第２筒部９０１の内部空間に第１プラグコネクタ１０Ａが収容された状態においても、溝９０２を通してロック片１０１の後端部分の押操作が可能となる。なお、点灯装置１が備えるカバー９は、信号端子部８以外の入力端子部６及び出力端子部７に被さるように構成されても構わない。
【００３９】
上述のように点灯装置１は、外部電源（交流電源４）に電気的に接続される入力端子部６と、光源２０に電気的に接続される出力端子部７と、信号源（センサ部２１、設定部２２）に電気的に接続される信号端子部８とを備えている。また、点灯装置１は、交流電源４から入力端子部６に入力される入力電力を電力変換して出力端子部７から光源２０に出力する電力変換部１１とを備えている。さらに、点灯装置１は、制御部１２と、入力端子部６、出力端子部７、信号端子部８、電力変換部１１並びに制御部１２を収容するケース５とを備えている。制御部１２は、センサ部２１及び設定部２２から信号端子部８に入力される信号（検知信号Ｓ１及び設定信号Ｓ２）を受け取って電力変換部１１を制御する。入力端子部６、出力端子部７及び信号端子部８のうちの少なくともいずれか１つは、電気絶縁性を有したコネクタハウジング（第１コネクタハウジング８０）を備えるコネクタ（レセプタクルコネクタ）で構成されている。ケース５は、箱形に形成されて第１コネクタハウジング８０の一部を露出させている。点灯装置１は、１つ又は複数のコネクタハウジングのうちの少なくとも１つのコネクタハウジング（第１コネクタハウジング８０）に被さるカバー９を備えている。
【００４０】
点灯装置１が上述のように構成されれば、コネクタハウジング（第１コネクタハウジング８０）単体の基礎絶縁に対してカバー９による二重絶縁を実現して電気的な絶縁性能を容易に確保することができる。
【００４１】
また、点灯装置１において、カバー９は、出力端子部７及び信号端子部８のそれぞれのコネクタハウジングのうちの少なくとも１つのコネクタハウジング（第１コネクタハウジング８０）に被さることが好ましい。
【００４２】
点灯装置１が上述のように構成されれば、出力端子部７及び信号端子部８のうちの少なくともいずれか一方について、電気的な絶縁性能を容易に確保することができる。
【００４３】
さらに、点灯装置１において、カバー９は、カバー９が被さる第１コネクタハウジング８０と挿抜可能に電気的かつ機械的に接続される相手側コネクタ（第１プラグコネクタ１０Ａ）に対して、以下のように構成されていることが好ましい。カバー９は、第１プラグコネクタ１０Ａが第１コネクタハウジング８０に挿抜される際の進路を妨げないように構成されていることが好ましい。
【００４４】
点灯装置１が上述のように構成されれば、カバー９が被さったままの第１コネクタハウジング８０に第１プラグコネクタ１０Ａを挿抜することができる。
【００４５】
上述のように照明装置３は、点灯装置１と、点灯装置１から供給される電力で点灯する光源２０と、少なくとも光源２０を支持する本体２３とを備えている。
【００４６】
照明装置３が上述のように構成されれば、電気的な絶縁性能を容易に確保することができる。
【符号の説明】
【００４７】
１  点灯装置
３  照明装置
４  交流電源（外部電源）
５  ケース
６  入力端子部
７  出力端子部
８  信号端子部
９  カバー
１０Ａ  第１プラグコネクタ（相手側コネクタ）
１１  電力変換部
１２  制御部
２０  光源
２１  センサ部（信号源）
２２  設定部（信号源）
２３  本体
８０  第１コネクタハウジング（コネクタハウジング）
Ｓ１  検知信号（信号）
Ｓ２  設定信号（信号）
【図１】
0006731640.tif 000002
【図２】
0006731640.tif 000003
【図３】
0006731640.tif 000004
【図４】
0006731640.tif 000005
【図５】
0006731640.tif 000006
【図６】
0006731640.tif 000007
【図７】
0006731640.tif 000008
【図８】
0006731640.tif 000009
【図９】
0006731640.tif 000010